【手続補正書】
【提出日】平成17年9月27日(2005.9.27)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】
枠部に対して前面開口を塞ぎつつ開閉可能に支持される前面蓋体を有する遊技機であって、
一対の略帯状の板材をボール支持構造にて互いにスライド可能に連結するスライダと、互いに回動可能に連結した一対の回動部材とからなる連結構造を備え、
スライダと回動部材とが独立して動作して開閉操作が可能であることを特徴とする遊技機。
【請求項２】
上記枠部は遊技機における外枠であり、上記前面蓋体は遊技機における本体枠であることを特徴とする上記請求項１に記載の遊技機。
【請求項３】
上記枠部は遊技機における本体枠であり、上記前面蓋体はガラス扉枠であることを特徴とする上記請求項１に記載の遊技機。
【請求項４】
上記スライダを構成する一の板材の端部は、上記連結構造における一の回動部材を兼ねることを特徴とする上記請求項１〜３のいずれかに記載の遊技機。
【請求項５】
上記連結構造を構成する回動部材は、上記板材の端部を折り曲げる方向に回動動作することを特徴とする上記請求項１〜４のいずれかに記載の遊技機。
【請求項６】
上記連結構造を構成する回動部材は、上記板材と略平行な平面内で回動動作することを特徴とする上記請求項１〜５のいずれかに記載の遊技機。
【発明の詳細な説明】
【０００１】
【発明の属する技術分野】
本発明は、遊技機に関し、特に、外枠に対して枢動可能に支持される本体枠をを有するとともに、同本体枠には遊技領域の前面側を覆いつつ枢動可能に支持されて必要時に開閉可能なガラス扉枠を有する遊技機に関する。
【０００２】
【従来の技術】
従来、この種の遊技機は、外枠の側に固定される第一の部材と、本体枠の側に固定される第二の部材と、第一の部材と第二の部材との間に備えられるアームとを備えているものが知られている（例えば、特許文献１参照。）。
同文献において、第一の部材には遊技機に対して左右方向に配向したスリットが形成され、第二の部材に形成した支軸が同スリット内に入り込んでおり、回動動作および直線動作が可能となっている。通常、回動動作をするときは支軸が一定位置で回動するが、回動動作に伴って第二の部材が離れる方向に移動しようとするのを上記アームが規制するため、支軸が上記スリット内で直線移動する。すなわち、本体枠は支軸を支点として閉状態から開状態へと回動するに連れ、同支軸の部分がスリット内を直線移動することになり、徐々に初期位置から内側（回動端とは反対の側）へと移動する。
回動に伴って内側へと移動するこのような動作により、本体枠の前面に取り付けられている上皿などの突起物が隣の台やサンドと干渉することを防止できる。
【特許文献１】
特開２００２−１１３２２７号公報
【特許文献２】
特開平７−１７８２２７号公報
【特許文献３】
特開平６−３０４３１９号公報
【０００３】
【発明が解決しようとする課題】
上述した従来の遊技機においては、次のような課題があった。
開閉時の軌跡が一定であるため、遊技機の上皿などの突起物の形状によっては干渉を避けきれず、利用できない場合がある。
一般に本体枠部分は重量があり、回動部分と直線部分とが一体となった構成であると接触部位の摩擦抵抗が大きく、滑らかに開閉させるのが困難である。
一方、遊技機には、より軽量な部材であるガラス扉枠も同様に開閉可能となっており、上皿を伴って回動するので、本体枠の場合と同様の課題があった。
本発明は、上記課題にかんがみてなされたもので、隣の台やサンドと干渉せず、かつ、開閉をスムーズに行わせることが可能な遊技機の提供を目的とする。
【０００４】
【課題を解決するための手段】
上記目的を達成するため、本発明は、枠部に対して前面開口を塞ぎつつ開閉可能に支持される前面蓋体を有する遊技機であって、一対の略帯状の板材をボール支持構造にて互いにスライド可能に連結するスライダと、互いに回動可能に連結した一対の回動部材とからなる連結構造を備え、スライダと回動部材とが独立して動作して開閉操作が可能な構成としてある。
【０００５】
上記のように構成した本発明においては、互いに回動可能に連結した一対の回動部材からなる連結構造により、遊技機の前面蓋体などは少なくとも通常通りの開閉動作が可能となっている。また、一対の略帯状の板材がボール支持構造にて互いにスライド可能に連結するスライダにより、同前面蓋体は直線移動も可能となっている。
回動動作と直線移動とが独立しているので、隣接する遊技機やサンドの形状などに応じて適宜干渉しないような開閉動作が可能となる。また、独立した連結構造を備えているので回動動作と直線移動も独立しており、回動軸がぶれにくくスムーズな開閉が可能となる。
【０００６】
そして、請求項２にかかる発明は、上記請求項１に記載の遊技機において上記枠部が遊技機における外枠であり、上記前面蓋体が本体枠である構成としてある。
すなわち、外枠に対して本体枠が開閉されるにあたり、回動動作と直線移動とが独立しているので、隣接する遊技機やサンドに干渉しないような開閉動作が可能となる。
【０００７】
また、請求項３にかかる発明は、上記請求項１に記載の遊技機において上記枠部が遊技機における本体枠であり、上記前面蓋体がガラス扉枠である構成としてある。
すなわち、本体枠に対してガラス扉枠が開閉されるにあたり、回動動作と直線移動とが独立しているので、隣接する遊技機やサンドに干渉しないような開閉動作が可能となる。
【０００８】
さらに、請求項４にかかる発明は、上記請求項１〜３のいずれかに記載の遊技機において、スライダを構成する一の板材の端部が上記連結構造における一の回動部材を兼ねる構成としてある。
上記のように構成した請求項４にかかる発明においては、一の板材と、一の回動部材と、板材と回動部材とを兼ねる一の部材とから構成され、部品点数が低減するとともに、動作は独立しつつも一体として形成されるので設置などの便宜が良くなる。
【０００９】
また、請求項５にかかる発明は、上記請求項１〜４のいずれかに記載の遊技機において、上記連結構造を構成する回動部材は、上記板材の端部を折り曲げる方向に回動動作させるものとして構成してある。
上記のように構成した請求項５にかかる発明においては、スライダの板材は閉じた状態の時に本体枠と平行になる。スライダは全体的には板状に形成されて厚みの薄い構造となるため、本体枠に形成されたり装着される装飾部材に対して取り付けるときに厚みなどをあまり考慮しなくても設置スペースを確保することができる。また、スライダを装飾部材の裏側に配置することができるので、外部に露出せず、見栄えも良くなる。
【００１０】
さらに、請求項６にかかる発明は、上記請求項１〜５のいずれかに記載の遊技機において、上記連結構造を構成する回動部材は、上記板材と略平行な平面内で回動動作するものとして構成してある。
上記のように構成した請求項６にかかる発明においては、回動部材同士が一つの平面内で互いに回動するため、一方の回動部材を外枠の上面と下面に取り付け、他方の回動部材は本体枠の上面と下面側に取り付けられる。
なお、本発明は、上記各構成に限られるものではなく、以下の手段を含むものである。
【００１１】
手段１
手段１にかかる発明は、スライダが本体枠の側に取り付けられる構成としてある。
上記のように構成した手段１にかかる発明においては、本体枠が回動軸の径方向に沿って直線移動することにより、他の障害物との干渉を避けられる。
【００１２】
手段２
さらに、手段２にかかる発明は、手段１に記載の遊技機において、スライダが外枠の側に取り付けられる構成としてある。
上記のように構成した手段２にかかる発明においては、外枠に対して回動軸が前後方向に直線移動し、その状態の任意の位置で本体枠が回動動作する。
【００１３】
手段３
さらに、手段３にかかる発明は、スライダを構成する板材の一方が幅方向の両縁部を同一方向に内側に略直角に折り曲げるとともに、折り曲げた面を長手方向に沿って樋状に湾曲させることによって互いに外方向に凹部を形成し、かつ、上記板材の他方が同様に幅方向の両縁部を同一方向に内側に略直角に折り曲げるとともに、折り曲げた面を長手方向に沿って樋状に湾曲させるときに互いに内方向に凹部を形成し、両板材の凹部の間にボールを支持する構成としてある。
上記のように構成した手段３にかかる発明においては、ボールを介在させることによって一対の板材が離れることなく支持され、かつ、スライド動作も滑らかになる。
【００１４】
手段４
さらに、手段４にかかる発明は、上記遊技機をパチンコ機に適用した構成としてある。
上記のように構成した手段４にかかる発明においては、パチンコ機の外枠と本体枠の支持構造として上記スライダと連結構造とが使用されている。
上述したように本体枠には前方に突出する上皿や下皿が備え付けられており、隣接するパチンコ機やサンドと干渉しやすいので、直線動作と回動動作とを独立させることによって干渉させにくくすることができる。
【００１５】
手段５
さらに、手段５にかかる発明は、上記回動部材がリンク機構を有しつつ直線移動と回動動作とを伴う部材であり、上記スライダが当該回動部材の動作に伴う直線移動と回動動作に加えて独立した直線動作を行う構成としてある。
このような直線移動と回動動作とを伴う部材の構成として、第一の取付部材と、第二の取付部材とを、リンク部材を介して接続する構成が可能である。むろん、リンク部材は各種の構成を採用可能である。リンク部材の支持点を適宜調整することにより、第一の取付部材と第二の取付部材は、互いに回動しつつ連動して互いに離れるという動作が可能となる。
ところで、前面蓋体と枠部との関係で直線移動と回動動作とを連動させて開閉するような場合に、前面蓋体と枠部とは干渉することなく開閉できるようになっても、隣接する機器との干渉が生じる場合がある。このような場合でも、上記のように構成した手段５にかかる発明においては、スライダによって独立した直線動作を行うことができ、隣接する機器との干渉を防止できる。
【００１６】
手段６
さらに、手段６にかかる発明は、上記遊技機がスロットマシンであり、スロットマシンの筺体をにおける前面側の部位が上記前面蓋体を構成し、同筺体における他の部位が上記枠部を構成する。
スロットマシンも、並設される状況においては、隣接される機器などと開閉時に干渉する場合があるので、回動動作と直線動作を独立させて機器の干渉を防止できる。
【００１７】
手段７
さらに、手段７にかかる発明は、上記遊技機がパチロットであり、パチロットの筺体をにおける前面側の部位が上記前面蓋体を構成し、同筺体における他の部位が上記枠部を構成する。
パチロットも、並設される状況においては、隣接される機器などと開閉時に干渉する場合があるので、回動動作と直線動作を独立させて機器の干渉を防止できる。
パチロットは、メダルの代わりに一定数のパチンコ球を使用して絵合わせを行うパチンコ機とスロットマシンの両方の特徴を備えた遊技機である。このようなパチロットも、並設される状況においては、隣接される機器などと開閉時に干渉する場合があるので、回動動作と直線動作を独立させて機器の干渉を防止できる。
【００１８】
【発明の効果】
以上説明したように本発明は、設置されている状況にかかわらず、隣接機器との干渉を生じにくくさせることが可能な遊技機を提供することができる。
また、請求項２にかかる発明によれば、枠部に対して本体枠を回動させる遊技機において、隣接機器との干渉を生じにくくさせることができる。
さらに、請求項３にかかる発明によれば、本体枠に対してガラス扉枠を回動させる遊技機において、隣接機器との干渉を生じにくくさせることができる。
さらに、請求項４にかかる発明によれば、直線動作と回動動作とを独立させつつ、構成は一体とすることができるのでコンパクトであって配設もしやすくすることができる。
【００１９】
さらに、請求項５にかかる発明によれば、全体として薄型にでき、かつ、外部への露出も少なくすることができる。
さらに、請求項６にかかる発明によれば、既存の機器への適用が容易である。
さらに、手段１にかかる発明によれば、直線移動の動作の一例を提供でき、手段２にかかる発明によれば、直線移動の動作の他の例を提供でき、状況に応じた選択が可能である。
【００２０】
さらに、手段３にかかる発明によれば、コンパクトなボール支持構造を提供できる。
さらに、手段４にかかる発明によれば、干渉を生じにくいパチンコ機を提供できる。
さらに、手段５にかかる発明によれば、前面蓋体と枠部との関係で直線移動と回動動作とを連動させて開閉するような場合でも、隣接する機器との干渉を防止できる。
さらに、手段６にかかる発明によれば、干渉を生じにくいスロットマシンを提供できる。
さらに、手段７にかかる発明によれば、干渉を生じにくいパチロットを提供できる。
【００２１】
【発明の実施の形態】
以下、次の順序に従って本発明の実施形態について説明する。
（１）パチンコ遊技機の構成：
（２）第一の実施形態にかかるヒンジ金具の構成：
（３）第二の実施形態にかかるヒンジ金具の構成：
（４）第三の実施形態にかかるヒンジ金具の構成：
（５）本体枠と外枠に適用する実施形態
（６）第四の実施形態にかかるヒンジ金具の構成：
（７）パチロットに適用した実施形態
（８）まとめ：
【００２２】
（１）パチンコ遊技機の構成：
図１は、本発明にかかる遊技機を適用したパチンコ遊技機を正面から見て示した正面図である。同図において、パチンコ遊技機１の外枠１０は、鋼材をプレス加工あるいは木材枠を組み合わせて形成されている。この外枠１０は、矩形板状の樹脂製の本体枠２０よりも僅かに大きいサイズの矩形開口１０ａを有している。この本体枠２０は、矩形開口１０ａの図に向かって左端にて枢支されており、図示しない回転軸を中心に回動し、外枠１０に対して開閉可能かつ着脱可能に装着されている。この本体枠２０の上部には、矩形板状の遊技板３０が取り付けられている。また、本体枠２０の下部には、遊技球の発射機構４０と、概略矩形形状に形成された樹脂製の流路板５０とが取り付けられている。さらに、当該流路板５０の前面側にて下皿７０が本体枠２０に取り付けられている。遊技板３０の前面には、下端中央から右巻きに概略一回転する外枠レールが前方へ立設されており、この外枠レールに取り囲まれる略円形の領域が遊技領域３１となっている。
【００２３】
この遊技領域３１には、図示していないが、多数の釘や、複数の入賞口や、入賞しなかった遊技球をアウト球として回収するアウト球回収口や、遊技の状況を表示する表示装置などが配設されている。遊技板３０の前面側には、樹脂製のガラス扉枠６０が本体枠２０の左端にて枢支されている。このガラス扉枠６０には、遊技領域３１を対面してガラス６１が嵌め込まれているとともに、ガラス６１の周囲を取り囲むように装飾ランプ６２および上皿６３が配設されている。また、ガラス扉枠６０の下方の本体枠２０には、発射機構４０の一部を構成する発射ハンドル４１が取り付けられている。この発射機構４０は、発射ハンドル４１の回転量に応じて遊技球を発射棹にて打ち出し、遊技板３０に向けて放出する。放出された遊技球は、流路板５０の前面側に取り付けられた遮蔽板と一対の仕切板とで囲まれた発射経路を通過した後、遊技板３０の前面側に立設された外側レールと内側レールとの間を通り抜けて、遊技領域３１に投入される。
【００２４】
図２は、パチンコ遊技機１を背面から見て示した背面図である。同図において、遊技板３０の背面側では、矩形筺状に形成された樹脂製の機構板８０が本体枠２０の図右端上部にて枢支されている。樹脂製の機構板８０も、図右端において本体枠２０の背面との間に設けられたヒンジ金具により支持されており、このヒンジを支軸として、同図における紙面手前側へ開閉可能となっている。この機構板８０は、上部にて遊技球の流路を形成する流路部８２を備えている。
【００２５】
上述した流路部８２には、遊技球タンク８４やタンクレール８１が装着されている。また、機構板８０の右側部には遊技球を下方に向かって払い出す払い出し装置ユニット８３が取り付けられている。この払い出し装置ユニット８３は、計数カウンタにより払い出し球をカウントして所定数の遊技球を払い出す遊技球払い出し機構８３ａ、タンクレール８１からの遊技球を遊技球払い出し機構８３ａに誘導するカーブ状に設けられた流路８３ｂ、遊技球払い出し機構８３ａから払い出された遊技球を上皿６３や下皿７０に誘導する流路８３ｃを備えている。遊技球払い出し機構８３ａは、内蔵するモータの回転により、遊技球を１個単位で放出可能となっている。
【００２６】
そして、流路部８２に装着された遊技球タンク８４から下方へ流出する遊技球が、タンクレール８１内を図２の左側から右側へ移動し、払い出し装置ユニット８３内を流下して上皿６３や下皿７０に払い出されるようになっている。
【００２７】
（２）第一の実施形態にかかるヒンジ金具の構成：
図３は第一の実施形態にかかるヒンジ金具１００を斜視図により示しており、図４は側面図により示している。
ヒンジ金具１００は、金属板からなる第一の蝶番金具１１０と、第二の蝶番金具１２０と、スライダカバー１３０とから構成されている。
第一の蝶番金具１１０と第二の蝶番金具１２０は、互いにその一端にて円筒状部分１１１，１２１，１２２を有しており、この円筒状部分に円柱状のピン１４１を挿入することにより、このピン１４１を支軸として両者は互いに回動可能となっている。ここで第一の蝶番金具１１０は略正方形の形状となっており、固定穴１１２，１１３が上下に形成されている。この例では、当該第一の蝶番金具１１０を外枠１０の左側に上下に二つ固定し、本体枠２０は右側より開閉可能となるようにしている。
【００２８】
この例では円筒状部分１１１，１２１，１２２と、円柱状のピン１４１とによって第一の蝶番金具１１０と第二の蝶番金具１２０とが回動可能な構成としている。しかし、回動可能な構成については他の各種の構成が可能である。例えば、第二の蝶番金具１２０の一端にはピン１４１と同様に上下に突出するような突起部を形成しておき、第一の蝶番金具１１０の側には同突起部を回動可能に上下から挟み込むように保持する屈曲部を形成しておくこともできる。むろん、この他にも各種の変形例が可能である。
【００２９】
第二の蝶番金具１２０とスライダカバー１３０とにより、スライダ１４０を構成している。第二の蝶番金具１２０は全体として帯板状をなし一端には上記円筒状部分１２１，１２２が形成されている。一方、他端には何も形成されておらず、その端部からおよそ全長の半分ぐらいまでの縁部は幅広に形成されている。この幅広部分を互いに同一方向に直角に屈曲させるとともに、第二の蝶番金具１２０の長さ方向に沿って樋状に湾曲させる。この樋状部分１２３ａ，１２３ｂは、半円までは至らず、互いに凸部分を対面させ、凹部分が外方を向くように形成してある。そして、樋状部分１２３ａ，１２３ｂとした凹部分には後述する数個の硬球１４２が保持可能となっており、かつ、図示しないが樋状部分１２３ａ，１２３ｂの両端には同硬球１４２が離脱しない程度の突起１２４を形成してある。
【００３０】
一方、スライダカバー１３０は、その全長が概ね第二の蝶番金具１２０と同一であり、全幅はやや第二の蝶番金具１２０よりも大きくなっている。ここで、当該スライダカバー１３０の縁部は上述した第二の蝶番金具１２０における樋状部分１２３ａ，１２３ｂを囲い込むように湾曲させてあり、かつ、この湾曲部分１３１ａ，１３１ｂにより上記硬球１４２を覆えるようになっている。硬球１４２は、第二の蝶番金具１２０の側で略半分覆われ、スライダカバー１３０の側で略半分覆われているので、第二の蝶番金具１２０とスライダカバー１３０は互いにボール支持構造を形成して長さ方向に直線移動が自在となっている。また、スライダカバー１３０の側には長さ方向の端部部分にて上記硬球１４２と干渉する突起部１３２を形成してあり、これによって第二の蝶番金具１２０とスライダカバー１３０とが勝手に離れてしまうこともない。
【００３１】
このように第二の蝶番金具１２０とスライダカバー１３０とは直線移動が自在なスライダ１４０を構成している。むろん、直線移動可能にする構成は各種の物を採用可能である。特に、硬球１４２は所定間隔を隔てて保持されるようにスペーサを配置したり、低摩擦係数の樹脂材などを配置することで、より滑らかな移動が可能となる。
本実施形態のような構成の場合は、全体としての厚みが薄く、本パチンコ遊技機１のような実装スペースを極力小さくしなければならないＬ枠の機種の場合はきわめて有効である。
【００３２】
スライダカバー１３０には幅方向の中心線上にて所定の間隔を空けて固定穴１３３，１３４を形成してあり、これに対応して第二の蝶番金具１２０の側には同固定穴１３３，１３４と対面する位置に長穴１２５を形成してある。固定穴１３３，１３４を利用してスライドカバー１３０を本体枠２０に取り付けるときにはこの長穴１２５と固定穴１３３，１３４とを対面させてネジなどを挿通し、螺合させる。なお、本実施形態においては、スライドカバー１３０は本体枠の左側にて上下に二つ固定するようになっている。
図５〜図７は上記構成からなるヒンジ金具１００を採用したパチンコ遊技機１におけるガラス扉枠６０の開閉動作状況を示している。
【００３３】
まず、本体枠２０は一般的なヒンジ金具２１を介して外枠１０に対して枢動可能に支持されている。通常使用時は図示しないロック機構にて閉状態を保持され、背面側の操作が必要な場合には同ロック機構を解除することにより、上記ヒンジ金具２１を支軸として本体枠２０が回動可能となっている。本体枠２０を回動させることにより、払い出し装置ユニット８３などのメンテナンスを行える。
【００３４】
一方、ガラス扉枠６０についても、図示しないロック機構を解除することにより、本体枠２０とガラス扉枠６０とのロック状態が解除される。この状態でガラス扉枠６０の右側を手前に引くと、左側に装着されているヒンジ金具１００の内、第一の蝶番金具１１０と第二の蝶番金具１２０とがピン１４１を支軸として回動する。従って、ガラス扉枠６０は図６および図７で示す円弧状矢印Ａのように回動動作する。
【００３５】
次に、ある程度回動動作したところで上皿６３が隣のパチンコ遊技機やサンドなどに干渉したとする。この場合は、本体枠２０をヒンジ金具１００の支軸に対して径方向に引き出す。すると、ヒンジ金具１００の内、第二の蝶番金具１２０とスライドカバー１３０とからなるスライダによって図６および図７で示す矢印Ｂのように直線動作する。これにより、隣のパチンコ遊技機やサンドなどとの干渉を回避できる。むろん、この回動動作と直線動作はパチンコ遊技機１の設置状況次第によって変化する。
このように直線動作と回動動作とが独立していることによってそれぞれの場合に応じた最善の対処を行える。
【００３６】
（３）第二の実施形態にかかるヒンジ金具の構成：
図８は、第二の実施形態にかかるヒンジ金具２００を斜視図により示している。第一の実施形態にかかるヒンジ金具１００では、第一の蝶番金具１１０と第二の蝶番金具１２０とがピン１４１を支軸として折り返されるように回動する構成となっていたが、第二の実施形態では、第一の蝶番金具２１０と第二の蝶番金具２２０の端部同士を重ね合わせ、二枚の板材を貫くように支軸のピン２４１を貫通させている。従って、第一の蝶番金具２１０を外枠１０の上面と底面に固定し、第二の蝶番金具２２０を本体枠２０の上面と底面に固定することによって外枠１０と本体枠２０とが回動可能となる。
【００３７】
図９〜図１０は上記構成からなるヒンジ金具２００を採用したパチンコ遊技機１におけるガラス扉枠６０の開閉動作状況を平面図により示している。
動作に関しては、第一の実施形態と全く同様であり、図９および図１０に示す矢印Ａのように円弧の回動動作を行い、矢印Ｂのように直線動作を行う。
なお、上述した実施形態では、上記ヒンジ金具２００における第一の蝶番金具２１０を本体枠２０に固定し、第二の蝶番金具２２０をガラス扉枠６０に固定しているが、逆にすることもできる。
【００３８】
図１１は、上記ヒンジ金具２００における第一の蝶番金具２１０をガラス扉枠６０に固定し、第二の蝶番金具２２０を本体枠２０に固定した動作例を示している。
図に示すように、直線動作は外枠１０に固定したスライドカバー２３０の取り付け方向に依存する。この例では、パチンコ遊技機の正面方向に対して平行に直線移動する。
【００３９】
一方、本体枠２０の側にスライドカバー２３０が固定される場合、ヒンジ金具２００を取り付けた側が自由に前後動しないようにロックする構成が必要となる。図１２は簡易な構成で自由に前後動させないようにすることが可能なロック機構２５０を示し、図１３は同ロック機構２５０をパチンコ遊技機に装着した状態を左側面図により示している。
このロック機構２５０は、それぞれ金属板の先端を屈曲させた第一のロック金具２５１と第二のロック金具２５２とからなり、第一のロック金具２５１の先端２５１ａはほぼ直角に屈曲するとともに、第二のロック金具２５２の先端２５２ａは同先端２５１ａを回避しつつ裏側に入り込むように略Ｃの字形状に屈曲してある。なお、このＣの字の部分は比較的浅めの深さとなっており、第二のロック金具２５２をわずかに時計回り方向に回転させると第一のロック金具２５１と第二のロック金具２５２との係合状態は解除される。
【００４０】
このようなロック金具２５１，２５２のそれぞれを図１３に示すように本体枠２０とガラス扉枠６０の側面外側に固定する。すなわち、本体枠２０の前面に対してガラス扉枠６０が密着するように近接した状態とし、第一のロック金具２５１の先端２５１ａと第二のロック金具２５２の先端２５２ａとを係合せしめ、それぞれ本体枠２０とガラス扉枠６０とを固定している。
ガラス扉枠６０を開く場合には、右側の図示しないロック機構２５０を解除し、ガラス扉枠６０の右側を少しだけ開くように時計回り方向に回動させる。
これにより、ガラス扉枠６０を本体枠２０に対して近接させた状態でとめておくロック機構２５０が備えられたことになるので、ヒンジ金具２００の取り付け側で自由に開閉できてしまうことはない。
【００４１】
（４）第三の実施形態にかかるヒンジ金具の構成：
上述した実施形態においては、第二の蝶番金具１２０，２２０が回動動作する連結構造と、直線動作するスライダを兼用しているが、二つの動作は独立しているので、連結構造とスライダを別々に構成することもできる。
図１４と図１５は、ヒンジ金具２００とほぼ同様としつつ、回動動作する連結構造３１０と、直線動作するスライダ３２０とに分離したヒンジ金具３００を使用した例を示している。
この例では、本体枠２０は外枠１０に対して回動動作し、ガラス扉枠６０はスライド用基板６６を介して本体枠２０に対して直線動作と回動動作できるようにしている。なお、ガラス扉枠６０は上皿６３と一体的に形成されており、隣接するパチンコ遊技機やサンドと干渉する場合に、ガラス扉枠６０を直線動作させて干渉を回避できる。
【００４２】
（５）本体枠と外枠に適用する実施形態
上述した実施形態においては、ヒンジ金具１００，２００を本体枠２０とガラス扉枠６０の開閉構造として利用しているが、外枠１０と本体枠２０との開閉構造に利用することも可能である。
図１６は、上記構成からなるヒンジ金具１００を採用したパチンコ遊技機１における本体枠２０の開閉動作状況を平面図により示している。
図示しないロック機構を解除することにより、本体枠２０と外枠１０とのロック状態が解除される。この状態で本体枠２０の右側を手前に引くと、左側に装着されているヒンジ金具１００の内、第一の蝶番金具１１０と第二の蝶番金具１２０とがピン１４１を支軸として回動する。従って、本体枠２０は図示の円弧状矢印Ａのように回動動作する。
【００４３】
次に、ある程度回動動作したところで下皿７０が隣のパチンコ遊技機やサンドなどに干渉したとする。この場合は、本体枠２０をヒンジ金具１００の支軸に対して径方向に引き出す。すると、ヒンジ金具１００の内、第二の蝶番金具１２０とスライドカバー１３０とからなるスライダによって図示の矢印Ｂのように直線動作する。これにより、隣のパチンコ遊技機やサンドなどとの干渉を回避できる。また、たとえ干渉していない場合であったとしても、回動させた後で径方向に本体枠２０を引き出すことにより、左側の裏面に配置されている払い出し装置ユニット８３などのメンテナンスを行いやすくなる。むろん、右側の裏面に配置されている装置をメンテナンスする場合は引き出す必要は無い。このように直線動作と回動動作とが独立していることによってそれぞれの場合に応じた最善の対処を行える。
【００４４】
次に、図１７は、上記構成からなるヒンジ金具２００を採用したパチンコ遊技機１における本体枠２０の開閉動作状況を平面図により示している。
動作に関しては、図１６に示す実施形態と全く同様であり、図示の矢印Ａのように円弧の回動動作を行い、矢印Ｂのように直線動作を行う。
さらに、図１８は、上記ヒンジ金具２００における第一の蝶番金具２１０を本体枠２０に固定し、第二の蝶番金具２２０を外枠１０に固定した動作例を示している。
図に示すように、直線動作は外枠１０に固定したスライドカバー２３０の取り付け方向に依存する。この例では、パチンコ遊技機１の正面方向に対して平行に直線移動する。
【００４５】
（６）第四の実施形態にかかるヒンジ金具の構成：
図１９と図２０は、他の実施形態にかかるヒンジ金具を示している。このヒンジ金具４００は、第一のベース４１０と、第二のベース４２０がリンク部材４３０を介して接続され、さらに、第二のベース４２０に対して上述したスライダ４４０が接続されている。リンク部材４３０は、三つのリンク４３１，４３２，４３３からなり、図１９に示す初期状態では第一のベース４１０と第二のベース４２０とが直交状態にあり、リンク部材４３０を介して第一のベース４１０と第二のベース４２０が回動しようとするときに当該リンク部材４３０の働きにより、第一のベース４１０と第二のベース４２０は互いに離れながら回動する。すなわち、回動動作と直線動作とが連動して作動するようになっている。
また、第二のベース４２０に固定されるスライダ４４０は、同第二のベース４２０に対してボルト止めされる板状部材４４１とスライダカバー４４２とから構成されており、同板状部材４４１が上記第二の蝶番金具１２０などに相当している。
【００４６】
図２１と図２２は、上記スロットマシン５００を示しており、上記ヒンジ金具４００を採用している。スロットマシン５００は、前面カバー５１０と本体５２０とを備えており、本体は前面側を開口させた略矩形筺体形状となっている。内部にはドラムの回動機構やメダルの払い出し機構などの主要な機構部品が収容されている。前面カバーはドラムを視認可能な窓が形成されているほか、操作ボタンやメダルの挿入口および払出口などが備えられている。
【００４７】
図１９および図２０に示すように、前面カバー５１０を開くとき、本体５２０に対して回動するのみならず、上記リンク部材４３０によって本体５２０から直線的に離れる動作も行なう。また、本来であれば前面カバー５１０と本体５２０とはこの連動動作のみによって干渉することなく開閉可能であるが、複数のスロットマシン５００がホールにおいて並設される状況においては、隣接するスロットマシン５００同士で干渉しかねない。しかしながら、第一のベース４１０と第二のベース４２０との連動動作に加えてスライダ４４０によって一連の回動動作とは独立した直線動作が可能であるため、状況に応じて適宜スライダ４４０による直線動作を行い、隣接する機器などとの干渉を回避することができる。
【００４８】
むろん、スロットマシン ５００としては、複数の識別情報からなる識別情報列を動的表示した後に識別情報を確定表示する可変表示手段を備え、始動用操作手段（例えば、操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えている。
【００４９】
（７）パチロットに適用した実施形態
図２３は、上記ヒンジ金具４００を適用したパチロット６００の外観を示している。
このパチロット６００は、パチンコ遊技機と同様の外枠６２０を有していると共に、当該外枠６２０に対して本体枠６１０が回動可能に支持されている。上記ヒンジ金具１００，２００，３００，４００のいずれも上記外枠６２０に対して本体枠６１０が回動可能に支持するために利用可能である。
【００５０】
なお、パチロット６００は、パチンコ機とスロットマシンとを融合させたものであり、その基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用するとともに、前記識別情報の動的表示の開始に際しては所定数の球を必要とし、特別遊技状態の発生に際しては多くの球が払い出されるように構成されている。
【００５１】
（８）まとめ：
以上説明したように、本発明によれば、一対の略帯状の板材をボール支持構造にて互いにスライド可能に連結するスライダと、互いに回動可能に連結した一対の回動部材とからなる連結構造を備えたヒンジ金具１００，２００，３００を備えることにより、パチンコ遊技機１におけるガラス扉枠６０や本体枠２０の開閉時に、スライダと回動部材とが独立して動作するため、大型化したガラス扉枠６０や上皿６３などを備えて隣接するパチンコ遊技機やサンドと干渉するようになった場合でも、干渉させないで開閉できるようになる。
【図面の簡単な説明】
【図１】
本発明の一実施形態にかかるパチンコ遊技機の正面図である。
【図２】
同パチンコ遊技機の背面図である。
【図３】
ヒンジ金具の斜視図である。
【図４】
ヒンジ金具の側面図である。
【図５】
パチンコ遊技機におけるヒンジ金具の配置状況を示す斜視図である。
【図６】
パチンコ遊技機におけるガラス扉枠と本体枠の開閉動作を示す斜視図である。
【図７】
パチンコ遊技機におけるガラス扉枠の開閉動作を示す平面図である。
【図８】
変形例にかかるヒンジ金具の斜視図である。
【図９】
パチンコ遊技機における同ヒンジ金具の配置状況を示す斜視図である。
【図１０】
パチンコ遊技機におけるガラス扉枠の開閉動作を示す平面図である。
【図１１】
パチンコ遊技機におけるヒンジ金具の取り付け方を変えた場合のガラス扉枠の開閉動作を示す平面図である。
【図１２】
ロック金具の斜視図である。
【図１３】
同ロック金具を装着したパチンコ遊技機の左側面図である。
【図１４】
他の変形例にかかるヒンジ金具を適用したパチンコ遊技機の組付斜視図である。
【図１５】
同パチンコ遊技機を開いた状態の斜視図である。
【図１６】
パチンコ遊技機における本体枠の開閉動作を示す図である。
【図１７】
変形例にかかるパチンコ遊技機における本体枠の開閉動作を示す図である。
【図１８】
他の変形例にかかるパチンコ遊技機における本体枠の開閉動作を示す図である。
【図１９】
他の変形例にかかるヒンジ金具の平面図である。
【図２０】
同ヒンジ金具の回動状態における平面図である。
【図２１】
同ヒンジ金具を適用したスロットマシンの外観斜視図である。
【図２２】
同ヒンジ金具を適用したスロットマシンを開いたときの外観斜視図である。
【図２３】
ヒンジ金具を適用可能なパチロットの外観斜視図である。
【符号の説明】
１…パチンコ遊技機
１０…外枠
１０ａ…矩形開口
２０…本体枠
２１…ヒンジ金具
３０…遊技板
３１…遊技領域
４０…発射機構
４１…発射ハンドル
５０…流路板
６０…ガラス扉枠
６１…ガラス
６２…装飾ランプ
６３…上皿
６６…スライド用基板
７０…下皿
８０…機構板
８１…タンクレール
８２…流路部
８３…払い出し装置ユニット
８３ａ…遊技球払い出し機構
８３ｂ…流路
８３ｃ…流路
８４…遊技球タンク
１００…ヒンジ金具
１１０…第一の蝶番金具
１１１…円筒状部分
１１２，１１３…固定穴
１２０…第二の蝶番金具
１２１，１２２…円筒状部分
１２３ａ，１２３ｂ…樋状部分
１２５…長穴
１３０…スライダカバー
１３１ａ，１３１ｂ…湾曲部分
１３２…突起部
１３３，１３４…同固定穴
１４０…スライダ
１４１…ピン
１４２…硬球
２００…ヒンジ金具
２１０…第一の蝶番金具
２２０…第二の蝶番金具
２３０…スライドカバー
２４１…ピン
２５０…ロック機構
２５１…ロック金具
２５１ａ…先端
２５２…ロック金具
２５２ａ…先端
３００…ヒンジ金具
３１０…連結構造
３２０…スライダ
４００…ヒンジ金具